(57)【特許請求の範囲】
【請求項１】
道路の縁石を兼ねた縁石壁が少なくとも縁石壁側の側壁を介して側溝側と一体成型されているコンクリートブロックにおいて、
道路からの流水が流れ落ちる流路の入口は、前記縁石壁の両端を除いて横向きに開口し、縁石壁の下側には、前記側溝と連通するための流路を有し、
ペットボトルが通過できる広さの入口に水平方向の２分割材を設け、その両端は、前記入口の左右両端に予め設けた溝に挿入して接着手段で埋めてあることでペットボトルが前記入口を通過できず、前記入口以外の流路は、ペットボトルが通過できる広さであることを特徴とする側溝ブロックの流路構造。
【請求項２】
道路の縁石を兼ねた縁石壁が少なくとも縁石壁側の側壁を介して側溝側と一体成型されているコンクリートブロックにおいて、
道路からの流水が流れ落ちる流路の入口は、前記縁石壁の両端を除いて横向きに開口し、縁石壁の下側には、前記側溝と連通するための流路を有し、
ペットボトルが通過できる広さの入口に、ペットボトルが通過できないように断続的に突起を設けてあることを特徴とする側溝ブロックの流路構造。
【請求項３】
前記突起がピン状体であり、入口の上側及び／又は下側にピン状体を植え込んであることを特徴とする請求項２に記載の側溝ブロックの流路構造。
【請求項４】
前記側溝ブロックの天井面に、ペットボトルの直径より狭い開口を１以上設けて、前記入口と並列の流れ込み口とすることにより、流水の通過流量を稼いだことを特徴とする請求項１、請求項２又は請求項３に記載の側溝ブロックの流路構造。
【発明の詳細な説明】
【技術分野】
【０００１】
本発明は、道路の側溝を形成するコンクリートブロックにおける流水の通り道の構造に関する。
【背景技術】
【０００２】
道路の側溝は、側溝ブロックを連続させることで形成されるが、流水と一緒にゴミが流れて来て側溝ブロックの入口を塞ぐことが頭痛の種である。特にペットボトルが浮いて来て入口を塞ぐと、塞がれる面積が大きいので、問題は深刻である。
【先行技術文献】
【特許文献】
【０００３】
【特許文献１】特開２００９−７８８９
【発明の概要】
【発明が解決しようとする課題】
【０００４】
特許文献１のように、下段水路と上段水路とを２階構造にしたブロックにおいて、雨水落下間隙から前記上段水路に溜まった雨水を下段水路に導く構造とすることが提案されている。しかし、この雨水落下間隙は狭いので、大雨等の際は、路面か冠水する恐れがある。
この雨水落下間隙を大きくすれば、雨水の通路が大きくなるので、路面の冠水は防げると思い勝ちだが、ペットボトルなどが浮いて流れて来て、雨水落下間隙の入口を塞ぐので、結局は、路面の冠水を防げない。
本発明の技術的課題は、このような問題に着目し、側溝ブロックにおいて、道路からの流水が流れ落ちる流路の入口は、ペットボトルが通過できず、その他の流路は、ペットボトルが通過できる広さにして、路面が冠水しないようにして水害を防止できるようにすることにある。
【課題を解決するための手段】
【０００５】
請求項１は、道路の縁石を兼ねた縁石壁が少なくとも縁石壁側の側壁を介して側溝側と一体成型されているコンクリートブロックにおいて、
道路からの流水が流れ落ちる流路の入口は、前記縁石壁の両端を除いて横向きに開口し、縁石壁の下側には、前記側溝と連通するための流路を有し、
ペットボトルが通過できる広さの入口に水平方向の２分割材を設け、その両端は、前記入口の左右両端に予め設けた溝に挿入して接着手段で埋めてあることでペットボトルが前記入口を通過できず、前記入口以外の流路は、ペットボトルが通過できる広さであることを特徴とする側溝ブロックの流路構造である。
【０００６】
請求項２は、道路の縁石を兼ねた縁石壁が少なくとも縁石壁側の側壁を介して側溝側と一体成型されているコンクリートブロックにおいて、
道路からの流水が流れ落ちる流路の入口は、前記縁石壁の両端を除いて横向きに開口し、縁石壁の下側には、前記側溝と連通するための流路を有し、
ペットボトルが通過できる広さの入口に、ペットボトルが通過できないように断続的に突起を設けてあることを特徴とする側溝ブロックの流路構造である。
【０００７】
請求項３は、前記突起がピン状体であり、入口の上側及び／又は下側にピン状体を植え込んであることを特徴とする請求項２に記載の側溝ブロックの流路構造である。
【０００８】
請求項４は、前記側溝ブロックの天井面に、ペットボトルの直径より狭い開口を１以上設けて、前記入口と並列の流れ込み口とすることにより、流水の通過流量を稼いだことを特徴とする請求項１、請求項２又は請求項３に記載の側溝ブロックの流路構造である。
【発明の効果】
【０００９】
請求項１は、図１のように、道路の縁石を兼ねた縁石壁が少なくとも縁石壁側の側壁を介して側溝と一体成型されているコンクリートブロックにおいて、道路からの流水が流れ落ちる流路の入口は、前記縁石壁から横向きに開口し、そして縁石壁の下側の流路を介して前記側溝側と連通している。しかも前記入口は、ペットボトルが通過できる広さの入口に水平方向の２分割材を設け、その両端は、前記入口の左右両端に予め設けた溝に挿入して接着手段で埋めてあることでペットボトルが前記入口を通過できない構造にしてある。従って、ペットボトルが流れ込んで下流に流れることはない。一方、その他の流路は、ペットボトルが通過できる広さにしてあるので、大量の水でも通過できる。また、万一、ペットボトルが入口まで流れて来たとしても、入口がペットボトルで閉鎖されて、流れが悪くなることはない。
【００１０】
請求項２のように、ペットボトルが通過できないように前記の入口に断続的に突起を設けて入口を部分的に狭くして、ペットボトルが通過不可能にした場合は、入口を狭くするのは部分的であって、流水の流れる量は減らないので、路面の冠水を効果的に防止できる。
【００１１】
請求項３のように、前記突起がピン状体であり、入口の上側及び／又は下側にピン状体を植え込むことによって、ペットボトルが入り込むのを阻止する構造にすると、ペットボトルで入口が塞がれることは少なく、流量を稼げる。
【００１２】
請求項４のように、前記側溝ブロックの天井面に、ペットボトルの直径より狭い開口を１以上設けて、前記入口と並列の流れ込み口とすることにより、流水の通過流量を稼いで路面の冠水を効果的に防止できる。
【図面の簡単な説明】
【００１３】
【図１】本発明の第一実施形態を示す図で、（１）は斜視図、（２）は断面図である。
【図２】入口を狭くするための第二実施形態を示す斜視図である。
【図３】入口を狭くするための第三実施形態を示す斜視図である。
【図４】コンクリート材料を節減して薄肉にした実施例の斜視図である。
【図５】上下に２分した分離型の実施例を示す斜視図である。
【発明を実施するための形態】
【００１４】
次に本発明による側溝ブロックの流水構造が実際上どのように具体化されるか実施形態を説明する。図１は本発明の第一実施形態を示す図で、（１）は斜視図、（２）は断面図であり、図１に示す側溝ブロックを連接することで側溝Ｇを形成する。コンクリート製のブロックは、底を形成する底壁１と、天井を形成する天壁２と、縁石を兼ねる縁石壁３と、この縁石壁３側の側壁４と道路側の側壁５とで、側溝Ｇを形成する。
縁石壁３側に、路面を向いた状態で横向きに形成された入口ｉに路面の水が流れ込み、鉛直に立った状態の流路Ｒを経て、側溝Ｇに流れ込む。より大量の水が側溝Ｇに流れ込めるように、流路Ｒの断面積Ｄは大きい方がよいが、ペットボトルなどが流れ込んで下流側に流れたり、目視できない場所で引っ掛かったりする恐れがある。
【００１５】
そこで本発明では、入口ｉを狭くしている。すなわち、ペットボトルが流入できないように、ペットボトルの直径より小さい寸法ｄにしている。小容量の径の小さいペットボトルも入らないようにするには、その径よりも寸法ｄを小さくすることになる。
流量をもっと多くしたい場合は、（１）図の鎖線６のように、天壁２に開口を設けて、この開口６に、（２）図のような、金属製のグレーティング７を設けてもよい。なお、開口６は、ペットボトルが通過できなければ、単一でも可能である。
【００１６】
図２は、入口ｉを狭くするための第二実施形態を示す斜視図であり、入口ｉの上下の縁に所定の間隔で突起７、８を設けてもよい。そして、上下の突起７と８との間隔をｄとする。突起７、８の存在しない領域は、ｄよりも大きくなるが、突起７、８の間隔を、そのペットボトルの高さ（長さ）より大きくすればよい。
なお、上下の突起７と８とが互いに対向するのでなく、互い違いに形成することも可能である。この場合は、突起７、８と、突起の無い縁との間隔ｄを、ペットボトルの外径より小さくする。
【００１７】
突起７、８は、左右方向に長い形状をしているが、左右方向の寸法を限りなく小さくして、細いピンや釘状に形成してよい。この場合は、コンクリート製では容易に折損する恐れがあるので、ブロックを型枠から脱型した直後の、養生前に、ピン状体を植え込むのがよい。ピン状体が容易に離脱しないように、オネジ状に形成したり、表面を粗面化して、ブロックとの一体化が容易な形状にするのが好ましい。
突起７、８に代えてピン状体を用いる場合は、入口ｉの上側の縁又は下側の縁の一方に設ければよく、必ずしも両側に設ける必要はない。なお、細いピン状体を植え込む場合は、ペットボトルが入口ｉで阻止されても、水の円滑な流れが阻止されることは少ない。
【００１８】
図３は、入口ｉを狭くするための第三実施形態を示す斜視図であり、入口ｉの左右両側に予め溝を形成しておき、その溝に、水平のパイプ９の両端を挿入してから、モルタルなどの接着手段で埋める。その結果、水平のパイプ９が容易に外れることはない。
なお、モルタルに代えて、接着材でパイプ９をブロックに固定してもよい。
【００１９】
図１（２）のような断面形状では、背壁４の下側の肉厚が大きく、コンクリート材料が無駄なため、背壁４の下部を薄肉にして、背壁４下部に切除部１０を設けた形状が図４である。
また、図５は分離型の例であり、上下に２分してある。すなわち、天壁２と縁石壁３と背壁４上部とを、他の部分と分離してある。水流の入口ｉや入口に続く流路Ｒは、縁石壁３と背壁４上部とに有るので、図５のような分離型の場合でも適用される。
【産業上の利用可能性】
【００２０】
以上のように、側溝ブロックにおいて、道路からの流水が流れ落ちる流路の入口は、ペットボトルが通過できず、その他の流路は、ペットボトルが通過できる広さにして、路面が冠水しないようにして水害を防止できるようにしたので、自然災害の抑止に貢献できる。
【符号の説明】
【００２１】
Ｇ  側溝
１  底壁
２  天壁
３  縁石壁
４  背壁
５  前壁
ｉ  入口
Ｒ  流路
６  前壁の開口
ｇ  グレーティング
７・８  突起
９  水平のパイプ
１０  切除部
【図１】
0005526210.tif 000002
【図２】
0005526210.tif 000003
【図３】
0005526210.tif 000004
【図４】
0005526210.tif 000005
【図５】
0005526210.tif 000006